(57)【要約】【課題】  シングルカーテンのカーテンレールにも、ダブルカーテンの窓側カーテンレールにも脱着自在に固定可能なカーテンリターン金具であって、リターンを壁面近くまで回すことができるものを提供する。【解決手段】  カーテンリターン金具を、カーテンレール、又は、カーテンレールに取り付けたキャップストップに脱着可能に固定される固定板部と、その固定板部からカーテンレール長手方向に垂直に窓側に延長する延長部と、その延長部に連続するフック穴板部と、そのフック穴板部をカーテンレール長手方向に貫通するカーテンフック穴とから構成する。【選択図】      図１
2005230297.tif 000002
【特許請求の範囲】
【請求項１】
カーテンレール、又は、カーテンレールに取り付けたキャップストップに、脱着可能に固定される固定板部と、前記固定板部からカーテンレール長手方向に垂直に窓側に延長する延長部と、前記延長部に連続するフック穴板部と、前記フック穴板部をカーテンレール長手方向に貫通するカーテンフック穴とからなることを特徴とするカーテンリターン金具。
【請求項２】
固定板部と、延長部と、フック穴板部は一枚の板材から形成されることを特徴とする請求項１に記載のカーテンリターン金具。
【請求項３】
固定板部は、止めねじの通る溝又は穴を有することを特徴とする請求項１又は２に記載のカーテンリターン金具。
【請求項４】
フック穴板部は、固定板部から水平に延長する延長板部から下方に折れ曲がることを特徴とする請求項１ないし３のいずれか１つに記載のカーテンリターン金具。
【請求項５】
フック穴板部は、水平板部から直角にねじれて延長する延長部に連続することを特徴とする請求項１ないし３のいずれか１つに記載のカーテンリターン金具。
【請求項６】
フック穴板部は、前面から見ると、左右の中央に位置することを特徴とする請求項３又は４に記載のカーテンリターン金具。
【発明の詳細な説明】
【技術分野】
【０００１】
本発明は、カーテンリターンのカーテンフックを掛けるカーテンリターン金具に関する。
【背景技術】
【０００２】
従来のカーテンリターンのカーテンフックを掛けるカーテンリターン金具は、壁面に打ち付ける方式であった。壁面が硬いコンクリートの場合、又は厚い壁紙で被覆されている場合、金具の打ち付けは必ずしも容易ではなかった。金具の打ち付けが容易な壁面の場合も、金具の打ち付けを仕損じると、壁面が傷付くおそれがった。
【０００３】
ダブルカーテンにおいて、窓側カーテンレールにカーテンリターン金具を取り付け、その金具に室内側カーテンレールに吊すカーテンのリターンをフック掛けすることは、特開２００３−２５０６９２号公報に開示されている。しかし、このカーテンリターン金具は、カーテンフック穴がカーテンレールの直下にあるため、シングルカーテンの場合、リターンを壁側に回すことはできない。ダブルカーテンの場合、リターンは窓側カーテンレールまで回るが、それ以上、壁面に近づけることはできないから、カーテン側面の光漏れは防止は、必ずしも十分ではなかった。
【特許文献１】特開２００３−２５０６９２号公報
【発明の開示】
【発明が解決しようとする課題】
【０００４】
本発明は、これらの問題を解決するためになされたものであり、その課題は、シングルカーテンのカーテンレールにも、ダブルカーテンの窓側カーテンレールにも脱着自在に固定可能なカーテンリターン金具であって、カーテンのリターンを壁面近くまで回すことができるものを提供することにある。
【課題を解決するための手段】
【０００５】
前記課題を達成するため、本発明が採用する手段は、カーテンリターン金具を、カーテンレール、又は、カーテンレールに取り付けたキャップストップに、脱着可能に固定される固定板部と、その固定板部からカーテンレール長手方向に垂直に壁側又は窓側に延長する延長部と、その延長部に連続するフック穴板部と、そのフック穴板部をカーテンレール長手方向に貫通するカーテンフック穴とから構成することである。
【発明の効果】
【０００６】
上記構成により、本発明のカーテンリターン金具は、シングルカーテンのカーテンレールにも、ダブルカーテンの窓側カーテンレールにも脱着自在に固定可能であり、従来の壁面に打ち込んで取り付けていたものに比べると、取付作業は至極容易であり、壁面を傷付けるおそれもない。また、従来のカーテンレールに取り付けるものに比べると、本発明のカーテンリターン金具は、カーテンフック穴がカーテンレールの直下ではなく、カーテンレールから壁側に延長する位置にあるから、カーテンのリターンを壁面近くにまで回すことが可能である。
【発明を実施するための最良の形態】
【０００７】
本発明のカーテンリターン金具は、一枚の板材から形成し、止めねじとナットを介してカーテンレールの底面、又は、カーテンレールに取り付けたキャップストップの底面に固定する。固定板部には、止めねじを通す溝又は穴を設けることが好ましい。フック穴板部は、固定板部から水平に延長する延長板部から下方に折れ曲がる形状、又は、固定板部から直角にねじれ延長する延長部に連続する形状とする。前面から見てフック穴板部が左右の中央に位置すると、カーテンリターン金具は、左右共通となる。
【０００８】
ナットには、カーテンレール底面部の開口から垂下するリング掛け部を一体に設け、そのリング掛け部にリングを掛けると、カーテンがリターンを始める部分のカーテンフックを掛け易くなる。
【実施例】
【０００９】
本発明を図面に示す実施例に基づいて説明する。図１は、本発明実施例の金具の斜視図、図２は、図１の金具をキャップストップと共にに固定したカーテンレールの要部底面図、図３は、カーテンレールの要部を断面で示す正面図、図４は、カーテンレールの要部横断面図である。
【００１０】
図１に示すように、金具１は、一枚の金属板から形成されたものであり、水平な固定板部２と、固定板部からそのまま延長する延長部３と、その延長部３から鉛直下方に折れ曲がるフック穴板部４とからなる。フック穴板部４には、カーテンのフックを掛けるカーテンフック穴５があけられ、固定板部２には、止めねじを通す溝６が設けられる。
【００１１】
図２に示すように、金具１は、シングルカーテンのカーテンレール又はダブルカーテンの窓側カーテンレール７の端部にキャップストップ８と共に取り付けられる。金具１の固定板部２は、キャップストップ８の底面に着座する。固定板部２から延長部３が壁側に延長し、その延長部３から垂下するフック穴板部４は壁面１５に近接する。固定板部２の溝６から止めねじ９が挿入される。
【００１２】
金具１は、キャップストップ８と共に止めねじ９とナットを介してカーテンレール７の端部に固定される。キャップストップ８の底部内端側には、リング穴２０を有するリング掛け部１９が一体に形成されている。ナットのリング掛け部１７は、カーテンレール７の底面部開口から垂下してキャップストップ８のリング掛け部１９と並列する。ナットとキャップストップの連通するリング穴に共通のリング１４が掛けられる。
【００１３】
図３及び図４に示すように、カーテン１０のリターン１１が始まる部分のカーテンフック１３は、リング１４に掛けられる。リング１４は、ナット１６とキャップストップ８の並列するリング掛け部１７、１９の連通するリング穴１８、２０に掛けられている。
リターン１１が終わる部分のカーテンフック１２は、金具１のフック穴板部４のカーテンフック穴５に掛けられる。カーテンフック穴５は、壁面１５の近くに位置するから、リターン１１は、壁面１５の近くまで回り込む。その結果、カーテン１０の見栄えが良くなると共に、カーテン側面から光漏れが防止される。
【００１４】
止めねじ９の先端は、下から、金具１の固定板部２の溝６、キャップストップ８の底面部、カテンレール７の底面部を順次貫通し、ナット１６にねじ込まれる。止めねじ９をナット１６に締め込むと、金具１と、キャップストップ８と、カテンレール７は、一体となり固定する。止めねじ９を弛めると、金具１もキャップストップ８もカーテンレール７から外すことができる。このように、金具１は、止めねじ９とナット１６を介して、カーテンレール７の端部にキャップストップ８と共に脱着自在に固定される。
【００１５】
次に、図面に示す別の実施例に基づいて説明する。図５は、別の実施例の金具を下から見た斜視図、図６は、図５の金具を固定したカーテンレールの一端部を示す底面図、図７は、図５のカーテンレールの要部を断面で示す正面図、図７は、カーテンレールの側面図である。
【００１６】
図５に示すように、金具２１は、一枚の金属板から形成されたものであり、水平な固定板部２２と、それから直角にねじれて延長する延長部２３と、延長部に連続するフック穴板部２４とからなる。フック穴板部２４には、カーテンフックを掛けるカーテンフック穴５があけられ、固定板部２２には、止めねじを通す溝６が設けられる。
【００１７】
図６に示すように、金具２１は、シングルカーテンのカーテンレール又はダブルカーテンの窓側カーテンレール７の端部に取り付けられる。金具２１の固定板部２２は、カテンレール７の底面に着座する。固定板部２２から延長部２３が壁側に延長し、その延長部２３に連続するフック穴板部２４は壁面１５に近接する。固定板部２２の溝６に止めねじ９を挿入する。金具２１は、止めねじ９とナットを介してカーテンレール７の端部に固定される。ナットのリング掛け部１７は、カーテンレール７の底面部開口から垂下する。リング掛け部１７のリング穴に共通のリング１４が掛けられる。
【００１８】
図７及び図８に示すように、カーテン１０のリターン１１が始まる部分のカーテンフック１３は、リング１４に掛けられる。リング１４は、ナット１６の掛け部１７リング穴１８に掛けられている。リターン１１が終わる部分のカーテンフック１２は、金具１のフック穴板部４のカーテンフック穴５に掛けられる。カーテンフック穴５は、壁面１５の近くに位置するから、リターン１１は、壁面１５の近くまで回り込む。その結果、カーテン１０の見栄えが良くなると共に、カーテン側面から光漏れが防止される。
【００１９】
止めねじ９の先端は、金具１の固定板部２の溝６を通り、カテンレール７の底面部を貫通し、ナットにねじ込まれる。ナットの内端側には、カーテンレール７の底面部開口から垂下するリング掛け部１７が一体に形成され、そのリング穴１８にリング１４が掛けられる。止めねじ９をナット１６に締め込むと、金具２１と、カテンレール７は、一体となり固定する。止めねじ９を弛めると、金具１はカーテンレール７から外すことができる。このように、金具２１は、止めねじ９とナット１６を介して、カーテンレール７の端部に脱着自在に固定される。上記以外の構成及び効果は、前記実施例と同じである。
【図面の簡単な説明】
【００２０】
【図１】本発明実施例の金具の下から見た斜視図、
【図２】図１の金具をキャップストップと共にに固定したカーテンレールの要部底面図、
【図３】図２のカーテンレールの要部を断面で示す正面図、
【図４】図２のカーテンレールの要部横断面図、
【図５】別の実施例の金具の下から見た斜視図、
【図６】図５の金具を固定したカーテンレールの要部底面図、
【図７】図５のカーテンレールの要部を断面で示す正面図
【図８】図５のカーテンレールの側面図である。
【符号の説明】
【００２１】
１：金具
２：固定板部
３：延長部
４：フック穴板部
５：カーテンフック穴
６：溝
７：カーテンレール
８：キャップストップ
９：止めねじ
１０：カーテン
１１：リターン
１２：カーテンフック
１３：カーテンフック
１４：リング
１５：壁面
１６：ナット
１７：リング掛け部
１８：リング穴
１９：リング掛け部
２０：リング穴
２１：金具
２２：固定板部
２３：延長部
２４：フック穴板部
【図１】
2005230297.tif 000003
【図２】
2005230297.tif 000004
【図３】
2005230297.tif 000005
【図４】
2005230297.tif 000006
【図５】
2005230297.tif 000007
【図６】
2005230297.tif 000008
【図７】
2005230297.tif 000009
【図８】
2005230297.tif 000010